(57)【特許請求の範囲】
【請求項１】
長さ調整可能な平帯ベルトを備えると共に、フック付きの止め具を平帯ベルトの端部に備える長さ調整可能なフック掛けベルトにおいて、
上記フック付きの止め具は、ベルト端側をベルト本体側に回し込むベルト部分を二枚重ねで挿通可能な偏平な四角形の筒状ホルダーを主体とし、筒状ホルダーの筒内に挿通するベルト端側からベルト本体側に回し込むベルト部分を折返し点で掛け止める支軸ピンを筒状ホルダーの開放口より直上で平帯ベルトの幅方向と平行に設けると共に、平帯ベルトの幅方向に亘る筒状ホルダーの片縁辺略中央位置から立ち上がって支軸ピンと直交方向に向かうフックを設けてなり、
支軸ピンに対するベルト部分の折返し点をズラし、その支軸ピンから筒状ホルダーに挿通するベルト端側の長さを変えて平帯ベルトの長さ調整可能な器具として平帯ベルトの少なくとも片端部に備えてなることを特徴とする長さ調整可能なフック掛けベルト。
【請求項２】
平帯ベルトの幅方向に位置する筒状ホルダーの両側辺より立ち上がる軸受けブラケットを設け、ベルト端側からベルト本体側に回し込むベルト部分を折返し点で掛け止める支軸ピンを筒状ホルダーの開放口より直上で該軸受けブラケットの間に掛け渡すと共に、平帯ベルトの幅方向に亘る筒状ホルダーの片縁辺略中央位置から斜め外方に折れ曲がる付け根より支軸ピンと直交方向に向かうフックを設けた止め具を備えてなることを特徴とする請求項１に記載の長さ調整可能なフック掛けベルト。
【請求項３】
平帯ベルトの幅方向に亘る筒状ホルダーの片縁辺を円筒状の軸受け筒として形成し、ベルト端側からベルト本体側に回し込むベルト部分を折返し点で掛け止める軸線部分より軸両端をＵ字状に湾曲させた支軸ピンを該軸両端で軸受け筒に係合させて筒状ホルダーの開放口より直上に掛け渡すと共に、軸受け筒の略中央位置で円周方向に開口したスリットより支軸部を軸受け筒の筒内に係合させて支軸ピンと直交方向に向かう揺動自在なフックを設けた止め具を備えてなることを特徴とする請求項１に記載の長さ調整可能なフック掛けベルト。
【発明の詳細な説明】
【技術分野】
【０００１】
本発明は、長さ調整可能な平帯ベルトを備えると共に、掛止め用のフックを平帯ベルトのベルト端に備える長さ調整可能なフック掛けベルトに関するものである。
【背景技術】
【０００２】
従来、マットレス等との間に挟み込んで上掛けの裾両端側に掛け渡す平帯ベルトを備え、面ファスナや鰐口クリップ等の止め具を平帯ベルトの両端部に備えるところの、ベッドの上掛けをズレ止めする器具が提案されている（例えば、特許文献１，２等）。
【０００３】
上述した構成に加えて、ベッドの大きさに合せ或いは上掛けの引張り度合い等を調整するため、平帯ベルトの長さを調整する止め具も備え付けられている。その長さ調整用の止め具としては、掛渡し軸を外枠の中央に組み付けた係止具でなり、片方のベルト端を掛渡し軸に連結すると共に、中央の掛渡し軸を跨いで他方のベルト端を外枠の枠内に通し、この外枠の枠内に通すベルト端の長さを変えて全長の長さを調整するよう平帯ベルトの長手方向中腹辺に備え付けられている。
【０００４】
その係止具によると、上述した面ファスナや鰐口クリップ等の止め具により、平帯ベルトの両端部を上掛けに固定してから、平帯ベルトの長さを調整する作業が必要となる。このため、面ファスナや鰐口クリップ等の止め具を上掛けの裾両端に固定する位置から平帯ベルトの長さを調整するベッドの中央位置に移動することが必要となり、作業に手間が掛かる。
【０００５】
上述したベッド用上掛けズレ止め具では、病院や高齢者ホーム等の数多くのベッドを抱える場所で適用するとなると、止め具の外れを直したり、平帯ベルトの長さを調整したり、個別に対応するのに大変な作業，労力を伴うことから実用性に欠ける。
【先行技術文献】
【特許文献】
【０００６】
【特許文献１】特開平１０−３３７２３３号公報
【特許文献２】特開２００１―３２１２５５号公報
【発明の概要】
【発明が解決しようとする課題】
【０００７】
本発明は、平帯ベルトの長さ調整を簡単な構造により容易に行なえ、使い勝手のよい長さ調整可能なフック掛けベルトを提供することを目的とする。
【課題を解決するための手段】
【０００８】
本発明の請求項１に係る長さ調整可能なフック掛けベルトにおいては、長さ調整可能な平帯ベルトを備えると共に、フック付きの止め具を平帯ベルトのベルト端に備えるもので、
フック付きの止め具は、ベルト端側をベルト本体側に回し込むベルト部分を二枚重ねで挿通可能な偏平な四角形の筒状ホルダーを主体とし、筒状ホルダーの筒内に挿通するベルト端側からベルト本体側に回し込むベルト部分を折返し点で掛け止める支軸ピンを筒状ホルダーの開放口より直上で平帯ベルトの幅方向と平行に設けると共に、平帯ベルトの幅方向に亘る筒状ホルダーの片縁辺略中央位置から立ち上がって支軸ピンと直交方向に向かうフックを設けてなり、
支軸ピンに対するベルト部分の折返し点をズラし、その支軸ピンから筒状ホルダーに挿通するベルト端側の長さを変えて平帯ベルトの長さ調整可能な器具として平帯ベルトの少なくとも片端部に備えることにより構成されている。
【０００９】
本発明の請求項２に係る長さ調整可能なフック掛けベルトにおいては、平帯ベルトの幅方向に位置する筒状ホルダーの両側辺より立ち上がる軸受けブラケットを設け、ベルト端側からベルト本体側に回し込むベルト部分を折返し点で掛け止める支軸ピンを筒状ホルダーの開放口より直上で該軸受けブラケットの間に掛け渡すと共に、平帯ベルトの幅方向に亘る筒状ホルダーの片縁辺略中央位置から斜め外方に折れ曲がる付け根より支軸ピンと直交方向に向かうフックを設けた止め具を備えることにより構成されている。
【００１０】
本発明の請求項３に係る長さ調整可能なフック掛けベルトにおいては、平帯ベルトの幅方向に亘る筒状ホルダーの片縁辺を円筒状の軸受け筒として形成し、ベルト端側からベルト本体側に回し込むベルト部分を折返し点で掛け止める軸線部分より軸両端をＵ字状に湾曲させた支軸ピンを該軸両端で軸受け筒に係合させて筒状ホルダーの開放口より直上に掛け渡すと共に、軸受け筒の略中央位置で円周方向に開口したスリットより支軸部を軸受け筒の筒内に係合させて支軸ピンと直交方向に向かう揺動自在なフックを設けた止め具を備えることにより構成されている。
【発明の効果】
【００１１】
本発明に係る長さ調整可能なフック掛けベルトに依れば、支軸ピンに対する平帯ベルトの折返し点を引張ってズラし、支軸ピンから筒状ホルダーに挿通するベルト端の長さを短く乃至は長く変えて平帯ベルトの長さ調整可能な止め具を平帯ベルトの少なくとも片端部に備えることから、平帯ベルトの長さ調整を簡単な構造により容易に行なえる。また、フックを止め具と一体に備えて被取付体に掛け止める同じ位置で平帯ベルトの長さを簡単に調整できるため、使い勝手のよいものに構成できて上掛けの掛直し等に伴う手間や労力を削減することができる。
【図面の簡単な説明】
【００１２】
【図１】図１は、本発明に係るフック掛けベルトをベッド用上掛けズレ止め具に適用する使用形態を示す説明図である。
【図２】図２は、本発明に係るフック掛けベルトと共に、ベッド用上掛けズレ止め具を示す斜視図である。
【図３】図３は、図２のフック掛けベルトを示す断面図である。
【図４】図４は、図３のフック掛けベルトを示す正面図である。
【図５】図５は、図３のフック掛けベルトを示す側面図である。
【図６】図６は、図３と別の形態に係るフック掛けベルトを示す斜視図である。
【図７】図７は、図６のフック掛けベルトを示す正面図である。
【図８】図８は、図６のフック掛けベルトを示す側面図である。
【図９】図９は、図２のベッド用上掛けズレ止め具の上掛けに対する取付け基準姿勢を示す説明図である。
【図１０】図１０は、図９に引き続くベッド用上掛けズレ止め具の上掛けに対する取付け手順を示す説明図である。
【図１１】図１１は、図１０に引き続くベッド用上掛けズレ止め具の上掛けに対する取付け手順を示す説明図である。
【図１２】図１２は、図１１に引き続くベッド用上掛けズレ止め具の上掛けに対する取付け手順を示す説明図である。
【図１３】図１３は、図１２のベッド用上掛けズレ止め具の上掛けに対する取付け構造を示す断面図である。
【発明を実施するための形態】
【００１３】
図示実施の形態は、図１で示すように二つの吊下げ環１，１と、フック２，２を両端部に備える連結ベルト３とをセットに揃えることによりベッド用上掛けズレ止め具を構成するに適用されている。そのベッド用上掛けズレ止め具は、吊下げ環１，１を上掛けＣの足裾両隅ｃ１，ｃ２に取り付け、連結ベルト３をベッドＢの本体側に回し込んでフック２，２を足裾両隅ｃ１，ｃ２の吊下げ環１，１に掛け止めることから、主に、上掛けＣの足回りをズレ止め保持するものとして構成されている。
【００１４】
吊下げ環１は、図２で示すように金属棒材の止め環１０と、金属板材の押え杆１１とを備えて組み立てられている。止め環１０は、フック２の引掛け軸部１０ａと、引掛け軸部１０ａの両端より互いに平行方向に伸びる直線状の縦軸部１０ｂ，１０ｃと、縦軸部１０ｂ，１０ｃの軸端間に亘る直線状の基軸部１０ｄとを折り曲げて形成されている。押え杆１１は、両端を円筒状に湾曲形成したスライド筒１１ａ，１１ｂにより、縦軸部１０ｂ，１０ｃの軸線を支持することから縦軸部１０ｂ，１ｃの軸線間に掛渡し装着されている。
【００１５】
フック２としては、簡略な側面略Ｊ字状を呈するもの、或いは側面略Ｆ字状を呈するフック本体を有し、略Ｆ字の下顎部から上顎部に向かってバネ付勢されたストッパピンや下顎部または上顎部に枢着された基部を支点として内側にバネ変位可能なスナップを設けたものが備え付けられる。
【００１６】
連結ベルト３としては、平帯状のゴムベルトや平織り状の布ベルト（以下、単に「平帯ベルト」という。）或いはロープ等が備え付けられる。この平帯ベルト３は、フック２を付けた止め具４を少なくとも片側のベルト端に備えて長さ調整可能に構成されている。
【００１７】
止め具４は、図３で示すように片側のベルト端３０をベルト本体３１に回し込むベルト部分を二枚重ねで挿通可能な偏平な四角形の筒状ホルダー４０を主体として形成されている。筒状ホルダー４０には、片側のベルト端３０から筒内に挿通させてベルト本体３１に回し込むベルト部分を折返し点３２で掛け止める支軸ピン４１が筒開放口より直上で平帯ベルト３の幅方向と平行に設けられている。この止め具４には、図４で示すようにフック２が平帯ベルト３の幅方向に亘る筒状ホルダー４０の片縁辺略中央位置から立ち上がって支軸ピン４１と直交方向に向かうよう備え付けられている。
【００１８】
その止め具４は、支軸ピン４１に対する平帯ベルト３の折返し点３２を引張ってズラせると共に、支軸ピン４１から筒状ホルダー４０に挿通するベルト端３０の長さを短く乃至は長く変えることにより平帯ベルト３の長さ調整可能に備え付けられている。
【００１９】
その止め具４では、フック２が一体に備え付けられているため、フック２を吊下げ環１に掛け止める同じ位置で平帯ベルト３の長さを簡単に調整できることから、使い勝手のよいものに構成できて上掛けの掛直し等に伴う手間や労力を削減できる。なお、平帯ベルト３のベルト端３０は筒状リング５（図２参照）を備えることによりベルト本体３１と束ねてまとめられる。
【００２０】
フック２は、止め具４において揺動可能に備え付けられている。この揺動可能なフック２を備える場合、平帯ベルト３の幅方向に亘る筒状ホルダー４０の片縁辺を円筒状の軸受け筒４２として形成し（図３参照）、平帯ベルト３の折返し点３２を掛け止める軸線部分４１ａよりＵ字状に湾曲させた軸両端４１ｂ，４１ｃを軸受け筒４２に係合させる（図４参照）ことにより、支軸ピン４１が筒状ホルダー４の開放口より直上に掛渡し装着されている。
【００２１】
フック２は、金属線材を略Ｊ字状に折り曲げたフック本体２ａと、フック本体２ａの根元から左右に折れ曲がる支軸部２ｂ，２ｃとから形成されている。そのフック２は、図５で示すように軸受け筒４２の略中央位置で円周方向に開口したスリット４３より支軸部２ｂ，２ｃを軸受け筒４２の筒内に係合させて支軸ピン４１と直交方向に向かう揺動自在に取り付けられる。
【００２２】
そのフック２を揺動自在に備える場合、平帯ベルト３の長さ調整する際に、平帯ベルト３の折返し点３２から遠ざけられるため、平帯ベルト３の長さ調整を行ない易くできる。
【００２３】
揺動可能なフック２に代えて、図６で示すようにフック２’を筒状ホルダー４０’から立ち上げて一体に設けた止め具４’を備えることもできる。この場合、平帯ベルト３の支軸ピン４１’は、図７で示すように平帯ベルト３の幅方向に位置する筒状ホルダー４０’の両側辺より立ち上がる軸受けブラケット４１ａ’，４１ｂ’を設けて筒状ホルダー４０’の開放口より直上で軸受けブラケット４１ａ’，４１ｂ’の間に掛渡し配置すればよい。
【００２４】
フック２’は、図８で示すように平帯ベルト３の幅方向に亘る筒状ホルダー４０’の片縁辺略中央位置から立ち上げてフック本体２ａ’を略Ｊ字状に形成すればよい。フック本体２ａ’は、筒状ホルダー４０’の片縁辺から支軸ピン４１’と離間する方向の斜め外方に折れ曲がる付け根２ｂ’より支軸ピン４１’と直交方向に向かうよう設けられる。これにより、上述した揺動可能なフック３と同様に、平帯ベルト３の長さ調整する際、フック本体２ａ’が邪魔とならない止め具４’として形成できる。
【００２５】
上述した吊下げ環１では、図９で示す如くベッドの上に敷かれる上掛けＣに対してフック２の引掛け軸部１０ａを上側に位置する姿勢を基準に、上掛けＣの足裾隅ｃ１を引掛け軸部１０ｄの軸下側から押え杆１１との間に通し、且つ、図１０で示すように押え杆１１を跨いで基軸部１０ｄとの間に通すと共に、図１１で示すように押え杆１１をスライド筒１１ａ，１１ｂで基軸部１０ｄに近接させて上掛けＣの足裾隅ｃ１を基軸部１０ｄと押え杆１１とで挟み込む。
【００２６】
足裾隅ｃ１の挟込み状態から、図１２で示すように環全体を反転させ、上掛けＣの足裾隅ｃ１を基軸部１０ｄと押え杆１１とで裾下に回し込ませるという簡単な作業により、吊下げ環１を上掛けＣの足裾隅ｃ１，ｃ２に取り付けられる。これと併行し、平帯ベルト３をベッドＢの本体側に回し込んでフック２，２を足裾両隅ｃ１，ｃ２の吊下げ環１，１に掛け止めればよい。
【００２７】
平帯ベルト３の掛止め状態では、就寝者が寝返りを打つ等に伴う引張り力（矢印参照）が加わっても、図１３で示すように吊下げ環１，１が連結ベルト３で下方に引張られていると共に、押え杆１１が上掛けＣの足裾隅ｃ１を基軸部１０ｄとで挟み込む方向に引張られるため、吊下げ環１が外れ出すことがない。
【００２８】
その平帯ベルト３としては、上掛けＣの足裾回りをベッドＢに締め付けない程度のゆとりを持ってベッドＢの本体側から両側に亘る長さを有するものを備えるとよい。これにより、就寝者に圧迫感を与えるのを防げると共に、上掛けＣの足裾側を確実にズレ止めできて足回りの保温効果を高められるため、就寝中の小用を催すような浅い眠りより開放されて安眠が得られる。また、血圧が安定する等の医療効果も得られる。
【００２９】
上述した実施の形態では、ベッド用上掛けズレ止め具を適用例として説明したが、この他に、荷物の掛止め或いはショルダーバッグの掛下げ用等のフック掛けベルトとしても適用するようにできる。
【００３０】
本明細書中で用いた用語及び表現は単に説明のために用いたものに過ぎず、本発明の内容を何ら限定するものではない。仮に、限定的な用語や表現を用いたとしても、そのことにより、上述した本発明の形態と均等なものやその一部を排除する意図はない。本発明は、権利が要求されている特許請求の範囲内で種々の変更が加えられる。
【符号の説明】
【００３１】
２，２’            フック
３                  平帯ベルト
３０                帯状ベルトの片ベルト端
３１                平帯ベルトのベルト本体
３２                平帯ベルトの折返し点
４                  フック付き止め具
４０，４０’        止め具の筒状ホルダー
４１，４１’        止め具の支軸ピン
４２                止め具の軸受け筒
４２ａ’，４２ｂ’    止め具の軸受けブラケット
【図１】
0004947320.tif 000002
【図２】
0004947320.tif 000003
【図３】
0004947320.tif 000004
【図４】
0004947320.tif 000005
【図５】
0004947320.tif 000006
【図６】
0004947320.tif 000007
【図７】
0004947320.tif 000008
【図８】
0004947320.tif 000009
【図９】
0004947320.tif 000010
【図１０】
0004947320.tif 000011
【図１１】
0004947320.tif 000012
【図１２】
0004947320.tif 000013
【図１３】
0004947320.tif 000014